(57)【要約】      （修正有）【課題】便座の流す水を利用して、手洗便利な洗剤とタオルセットを提供し、このセットは水資源の節約に役に立つために、もっと便利なトイレデバイスを提供する。【解決手段】便座、洗剤、タオルの一体式のトイレデバイスである。便座を利用した後、給水口から貯水タンクに入る前水で手洗便利のため、洗剤容器とタオルセットを便座貯水タンクの上に斜面にも使用できる吸盤１３で取り付けられる。更に、洗剤容器サポート１２の角度が球型ボール１９の上で調整できる。【選択図】図６
0003216360.tif 000002
【実用新案登録請求の範囲】
【請求項１】
手洗所内に給水口が設置されている、この給水口の配管に固定するための固定部材で洗剤容器Ａを固定するトイレデバイス。
【請求項２】
洗剤容器Ｂに付いている洗剤容器サポートが角度調整部材を通して、手洗所に固定部材で固定されることにより、斜面に取り付けてもこの角度調整部材が洗剤容器Ｂをいつも適度な角度に維持する請求項１に記載のトイレデバイス。
【請求項３】
請求項１または請求項２に記載のトイレデバイスおいて、タオルを取り付けるための部材を更に備えたトイレデバイス。
【考案の詳細な説明】
【技術分野】
【０００１】  本考案は、一種一体式トイレデバイスに関する。
【背景技術】
【０００２】  トイレの利用者は、便座を使用した後に水で流す同時に手洗習慣がよくある。この時、利用者は一般的に洗面所で洗う。この方法はあまり便利ではない。便座貯水タンク上の給水口の周りが便座、洗剤、タオルの一体式のトイレデバイスがないため、便座貯水タンク上の給水口から出る水を利用して手洗する人が少ない。便座から洗面所に移動して洗うしかない。同時にこの操作はずっと広い空間も必要であり、また便座で流す水は未使用であるため、水資源の無駄使いにもなる。
【考案の概要】
【考案が解決しようとする課題】
【０００３】  便座流し水を利用して、手洗便利な洗剤とタオルセットのトイレデバイスを提供する。このトイレデバイスの普及は水資源の節約にも役が立つ。
【課題を解決するための手段】
【０００４】  本考案では、便座、洗剤、タオルの一体式のトイレデバイスを設計した。便座を利用した後、給水口から貯水タンクに入る前水で手洗便利のため、洗剤容器とタオル掛けセットを便座貯水タンクの上の給水口の配管に取り付ける、或は、洗剤容器は洗剤容器サポートを通して手洗所に固定し、或は、タオル掛けは貯水タンクに固定する。
【考案の効果】
【０００５】  上記のように、本考案では、トイレの利用者に便利を図るため洗剤とタオルを便座の近傍に取り付け、より多くの人に便座流し水を利用させることで、水資源の節約効果が期待できる。
【図面の簡単な説明】
【０００６】
【図１】本考案の実施形態１の主体構造図である。
【図２】本考案の洗剤容器とタオル掛けの拡大図である。
【図３】本考案の洗剤容器の分解図である。
【図４】本考案のタオル掛けの構造図である。
【図５】本考案の実施形態２の主体構造図である。
【図６】本考案の実施形態２の分解拡大図である。
【図７】本考案の実施形態３の主体構造図である。
【図８】本考案の実施形態３の分解拡大図である。
【考案を実施するための形態】
【０００７】  図１〜図４においては、便座、洗剤、タオルの一体式の一種類トイレデバイスである。具体的には、貯水タンク１と、この貯水タンク１の上に手洗所２と、この手洗所２の中心に水を貯水タンク１に入る口３がある、またこの水入り口３の隣の手洗所内に給水口４が設置されている、またこの給水口４の配管に固定するための固定部材５が付けている、またこの固定部材５の一側は固定圏７を固定する、またこの固定圏７にいくつ穴７１がある、またこの穴７１からタオル掛け横棒８を通し固定する、またこのタオル掛け横棒８一側に止める部品８１がある。この丸い穴７１はタオル掛け横棒８を適当角度に取り付けるためである。
また、この固定圏７に洗剤容器Ａ６を固定する、またこの洗剤容器Ａ６の上部に通気孔付いている蓋６１がある、また洗剤容器Ａ６の中部の固定部材付け溝６２である、また洗剤容器６底部は螺旋口７０がある、またこの螺旋口７０とコップ型の部品６３とコップ型の部品のパッキン６８と密封蓋６６及び密封蓋中の密封蓋パッキン６７を固定する、また動くスイッチ棒６５が密封蓋６６の中にある、また密封蓋パッキン６７と密封蓋６６の中心にある密封蓋穴６９を通す、またこの動くスイッチ棒６５が密封蓋の外に出る、またこの動くスイッチ棒６５の洗剤容器Ａ６側に動くスイッチ棒のスプリング固定凸部７３がある、この動くスイッチ棒のスプリング固定凸部７３とコップ型部品内側のスプリング固定凸部７４の間にスプリング６４を付けてある、このスプリング６４は動くスイッチ棒のスプリング固定凸部７３を密封蓋パッキンに押して、密着させるによって、洗浄容器Ａ６の中の洗剤液が外に流出しないこと。またこのスプリング６４の一側にコップ型の部品６３がある、またこのコップ型の部品６３がコップパッキン６８を通す、また洗剤容器Ａ６の螺旋口７０に入れ込む圧着密封する、洗剤容器の上部の洗剤入れ口に洗剤容器の上部に通気孔が付いている蓋６１がある。動くスイッチ棒６５の棒の部分と密封蓋の穴６９の開いたに隙間がある、動くスイッチ棒６５を押すと、洗剤容器Ａ６の中の洗剤溶液がコップ型の部品の穴７２を通して、動くスイッチ棒６５と密封蓋の穴６９の隙間から流出する洗剤容器の中の洗剤溶液が流出する。
また、洗剤容器Ａ６を固定するため、上記のタオル掛け横棒一側に弧型止める部品８１と洗剤容器Ａ６中部の固定部材付け溝６２が相互気密フィットされている、上記のトイレデバイスである。
また、貯水タンク１の外壁に吸盤と、マジックテープ或は粘着テープ１０でタオル掛け１１を固定する、上記のトイレデバイスである。
【０００８】  図５〜図８においては、タオルの一体式の一種類トイレデバイスである。具体的には、貯水タンク１と、この貯水タンク１の上に手洗所２と、この手洗所２の中心に水を貯水タンク１に入る口３がある、またこの水入り口３の隣の手洗所内に給水口４が設置されている。
また、この手洗所の上に吸盤１３を付ける、この吸盤１３の上は吸盤凹面２０がある、吸盤凹面２０に球型ボール１９を固定する、この球型ボール１９の上部に洗剤容器サポート底部球型ボール嵌め込む凹面部１７を嵌め込む。洗剤容器サポート１２を球型ボール１９の上で角度が調整できる、また洗剤容器サポート１２に固定した洗剤容器Ｂ１４がいつも適度な角度に調整できる。吸盤１３は斜面にも付けられる。
或は、洗剤容器サポート凹部７５と洗剤容器サポート凸部穴７６を合わせ、固定部材で固定する。さらに、洗剤容器サポート凸部７７を固定部材で手洗所に固定する。洗剤容器Ｂ１４を適度な角度に調整する。
洗剤容器サポート１２にタオル掛け棒１８を固定する。タオル掛け棒１８の角度を調整できるため、いくつタオル掛け棒付け穴１６を付ける。
また洗剤容器Ｂ１４の上部に洗剤容器の上部の通気孔が付いている蓋６１がある、洗剤容器Ｂ１４底部は螺旋口７０がある、またこの螺旋口７０と洗剤容器サポートと一体化した密封蓋１５と洗剤容器サポートと一体化した密封蓋１５中の密封蓋パッキン６７およびコップ型の部品パッキン６８を固定する、また動くスイッチ棒６５が洗剤容器サポートと一体化した密封蓋１５の中にある、またパッキン６７と洗剤容器サポートと一体化した密封蓋１５の中心にある密封蓋の穴６９を通して、棒の方が洗剤容器サポートと一体化した密封蓋１５の外に出る、またこの動くスイッチ棒６５の洗剤容器Ｂ１４側にスプリング６４を動くスイッチ棒のスプリング固定凸部７３に付けてある、この動くスイッチ棒のスプリング固定凸部７３とコップ型部品内側のスプリング固定凸部７４の間にスプリング６４を付けてある、またこのスプリング６４の一側にコップ型の部品６３がある、またこのコップ型の部品６３がコップパッキン６８を通す、また洗剤容器Ａ６の螺旋口７０に入れ込む圧着密封する、洗剤容器Ａ６の上部の洗剤入れ口に洗剤容器の上部の蓋６１がある。動くスイッチ棒６５を押すと、洗剤容器Ａ６の中の洗剤溶液がコップ型の部品の穴７２を通して、動くスイッチ棒６５と密封蓋の穴６９の隙間から流出する洗剤容器の中の洗剤溶液が流出する。上記で述べた洗剤容器Ｂ１４と〔０００７〕で記載された洗剤容器Ａ６は密封蓋除き同様である。
上記のトイレデバイスである。
【０００９】  本考案の優れた点は、占める空間が少なく、便利程度が向上し、手洗所必要な洗剤とタオルが便座の手洗所、或は便座の手洗所周りにあることである。また、洗剤容器の構造が合理的で、使用便利のことである。また、タオル取り戻しが便利で、タオルを洗剤容器の横に付けている横棒に掛けられる、或は便座の貯水タンクの外壁に付けているタオル掛けに掛けられることである。また、手洗した水が便座の貯水タンクに入り、便座の流す水が使用できるため水資源が節約できることである。また、洗剤を含む流し水の洗浄力が一般的な水より強く、ある程度殺菌剤が入っているため、便座の殺菌にも効果があることである。
本考案は、上記のように本考案を実施例を持って説明したが、上記の実施説明に限らず、業種で一般的な技術者が持つ知識範囲内で、本考案の目的から離れない限り、様々の変更ができる。
【符号の説明】
【００１０】２  手洗所
４  給水口
５  固定部材
６  洗剤容器Ａ
７  固定圏
８  タオル掛け横棒
１１  タオル掛け
１２  洗剤容器サポート
１３  洗剤サポート底部吸盤
１４  洗剤容器Ｂ
１６  タオル掛け棒固定穴
１７  洗剤容器サポート底部球型ボル嵌め込む凹面部
１８  タオル掛け横棒
１９  球型ボール
２０  球型ボール付ける吸盤凹面部
【図１】
0003216360.tif 000003
【図２】
0003216360.tif 000004
【図３】
0003216360.tif 000005
【図４】
0003216360.tif 000006
【図５】
0003216360.tif 000007
【図６】
0003216360.tif 000008
【図７】
0003216360.tif 000009
【図８】
0003216360.tif 000010